(57)【要約】情報を配信する際に、効率的な通信を実現するとともにそれぞれのユーザに対して有益な情報を配信することが出来る配信装置、配信方法及びプログラムを提供することを目的とする。本発明にかかる配信装置（１０）は、情報を配信する配信エリアに在圏する通信端末の数を検出する検出部（１１）と、通信端末の数が予め定められた数よりも多い場合、同報配信を用いて複数のユーザへ同一の情報を配信し、通信端末の数が予め定められた数よりも少ない場合、通信端末の加入者情報に応じて決定される情報を、ユニキャスト通信を用いてそれぞれのユーザへ配信する配信部（１２）と、を備えるものである。
2015001746.tif 000002
【特許請求の範囲】
【請求項１】
情報を配信する配信エリアに在圏する通信端末の数を検出する検出手段と、
前記通信端末の数が予め定められた数よりも多い場合、同報配信を用いて複数のユーザへ同一の情報を配信し、前記通信端末の数が予め定められた数よりも少ない場合、通信端末の加入者情報に応じて決定される情報を、ユニキャスト通信を用いてそれぞれのユーザへ配信する配信手段と、を備える配信装置。
【請求項２】
前記配信手段は、
前記通信端末の数が予め定められた数よりも多い場合、第１の情報を同報配信を用いて複数のユーザへ同一の情報を配信し、前記第１の情報と異なる第２の情報をユニキャスト通信を用いてそれぞれのユーザへ配信する、請求項１に記載の配信装置。
【請求項３】
前記第２の情報は、前記第１の情報よりも情報量が多い、請求項２に記載の配信装置。
【請求項４】
前記配信手段は、
前記複数の通信端末の中から前記第２の情報を配信する通信端末を決定し、ユニキャスト通信を用いて前記第２の情報を前記決定された通信端末へ配信する、請求項２又は３に記載の配信装置。
【請求項５】
前記検出手段は、
移動通信ネットワークに配置された複数の基地局が形成するセル毎に前記通信端末の数を検出し、
前記配信手段は、
予め定められた数よりも多い数の通信端末が在圏するセルにおいては、同報配信を用いて複数のユーザへ同一の情報を配信し、予め定められた数よりも少ない数の通信端末が在圏するセルに対しては、通信端末の加入者情報に応じて決定される情報を、ユニキャスト通信を用いてそれぞれの通信端末へ配信する、請求項１乃至４のいずれか１項に記載の配信装置。
【請求項６】
前記配信手段は、
Cell Broadcast Service（ＣＢＳ）を用いて同報配信する、請求項１乃至５のいずれか１項に記載の配信装置。
【請求項７】
前記配信手段は、
同報配信を行う場合、前記ＣＢＳにおいて用いられる３ＧＰＰにおいて規定されたCell Broadcast Center（ＣＢＣ）へ情報を送信し、ユニキャスト通信を行う場合、３ＧＰＰにおいて規定されたPacket Data Network Gateway（ＰＧＷ）へ情報を送信する、請求項６に記載の配信装置。
【請求項８】
情報を配信する配信エリアに在圏する複数の通信端末へ、同報配信を用いて共通の情報である第１の情報を配信し、前記複数の通信端末のそれぞれの加入者情報に応じて決定される第２の情報をユニキャスト通信を用いてそれぞれのユーザへ配信する配信手段、を備える配信装置。
【請求項９】
情報を配信する配信エリアに在圏する通信端末の数を検出し、
前記通信端末の数が予め定められた数よりも多い場合、同報配信を用いて複数のユーザへ同一の情報を配信し、前記通信端末の数が予め定められた数よりも少ない場合、通信端末の加入者情報に応じて決定される情報を、ユニキャスト通信を用いてそれぞれのユーザへ配信する、配信方法。
【請求項１０】
前記情報を配信する際に、
前記通信端末の数が予め定められた数よりも多い場合、第１の情報を同報配信を用いて複数のユーザへ同一の情報を配信し、その後、前記第１の情報と異なる第２の情報をユニキャスト通信を用いてそれぞれのユーザへ配信する、請求項９に記載の配信方法。
【請求項１１】
前記第２の情報は、前記第１の情報よりも情報量が多い、請求項１０に記載の配信方法。
【請求項１２】
前記情報を配信する際に、
前記複数の通信端末の中から前記第２の情報を配信する通信端末を決定し、ユニキャスト通信を用いて前記第２の情報を前記決定された通信端末へ配信する、請求項１０又は１１に記載の配信方法。
【請求項１３】
前記通信端末の数を検出する際に、
移動通信ネットワークに配置された複数の基地局が形成するセル毎に前記通信端末の数を検出し、
前記情報を配信する際に、
予め定められた数よりも多い数の通信端末が在圏するセルにおいては、同報配信を用いて複数のユーザへ同一の情報を配信し、予め定められた数よりも少ない数の通信端末が在圏するセルに対しては、通信端末の加入者情報に応じて決定される情報を、ユニキャスト通信を用いてそれぞれの通信端末へ配信する、請求項９乃至１２のいずれか１項に記載の配信方法。
【請求項１４】
前記情報を配信する際に、
Cell Broadcast Service（ＣＢＳ）を用いて同報配信する、請求項９乃至１３のいずれか１項に記載の配信方法。
【請求項１５】
前記情報を配信する際に、
同報配信を行う場合、前記ＣＢＳにおいて用いられる３ＧＰＰにおいて規定されたCell Broadcast Center（ＣＢＣ）へ情報を送信し、ユニキャスト通信を行う場合、３ＧＰＰにおいて規定されたPacket Data Network Gateway（ＰＧＷ）へ情報を送信する、請求項１４に記載の配信方法。
【請求項１６】
情報を配信する配信エリアに在圏する通信端末の数を検出するステップと、
前記通信端末の数が予め定められた数よりも多い場合、同報配信を用いて複数のユーザへ同一の情報を配信し、前記通信端末の数が予め定められた数よりも少ない場合、通信端末の加入者情報に応じて決定される情報を、ユニキャスト通信を用いてそれぞれのユーザへ配信するステップと、をコンピュータに実行させるプログラムが格納された非一時的なコンピュータ可読媒体。
【発明の詳細な説明】
【技術分野】
【０００１】
本発明は配信装置、配信方法及びプログラムに関し、例えば同報配信もしくはユニキャスト通信を用いて情報配信を行う配信装置、配信方法及びプログラムに関する。
【背景技術】
【０００２】
一般的に、通信ネットワークを介して災害情報等を迅速に配信するために、Cell Broadcast Service（ＣＢＳ）が用いられている。ＣＢＳは、情報配信元装置から送信された情報を、基地局が管理するセル単位に情報を配信するサービスである。つまり、ＣＢＳを用いることによって、セルに在圏する全ての通信端末に対して同一の情報を送信することが出来る。これによって、セルに在圏する全ての通信端末は、基地局を介して同一の情報を受信することが出来る。ＣＢＳのネットワーク構成及びＣＢＳを構成する各装置の動作等は、例えば非特許文献１に開示されている。
【先行技術文献】
【非特許文献】
【０００３】
【非特許文献１】3GPP TS 23.041 V12.2.0 (2013-06) 3rd Generation Partnership Project; Technical Specification Group Core Network and Terminals; Technical realization of Cell Broadcast Service (CBS) (Release 12)
【発明の概要】
【発明が解決しようとする課題】
【０００４】
ＣＢＳを用いた場合、全ての基地局は、同一の情報を通信端末に対して配信することになる。つまり、異なるエリアに在圏しているそれぞれの通信端末は、全て同一の情報を受信することになる。ＣＢＳを用いた同報配信は、複数のユーザに対してユニキャスト通信を行い同じ情報を配信する場合と比較して、通信リソースの観点においては効率的な通信といえる。しかし、ＣＢＳを広告配信等の商業的な利用に用いる場合に、様々な年代もしくは様々な嗜好を有する複数のユーザに対して全て同一の情報を配信することが必ずしも効果的であるとは言えない。【０００５】
そのため、有限な通信リソースを効率的に用いるとともに、広告配信等においてより効果的にユーザへ情報を配信することが出来る通信システムが望まれている。【０００６】
本発明の目的は、情報を配信する際に、効率的な通信を実現するとともにそれぞれのユーザに対して有益な情報を配信することが出来る配信装置、配信方法及びプログラムを提供することにある。
【課題を解決するための手段】
【０００７】
本発明の第１の態様にかかる配信装置は、情報を配信する配信エリアに在圏する通信端末の数を検出する検出部と、前記通信端末の数が予め定められた数よりも多い場合、同報配信を用いて複数のユーザへ同一の情報を配信し、前記通信端末の数が予め定められた数よりも少ない場合、通信端末の加入者情報に応じて決定される情報を、ユニキャスト通信を用いてそれぞれのユーザへ配信する配信部と、を備えるものである。【０００８】
本発明の第２の態様にかかる配信方法は、情報を配信する配信エリアに在圏する通信端末の数を検出し、前記通信端末の数が予め定められた数よりも多い場合、同報配信を用いて複数のユーザへ同一の情報を配信し、前記通信端末の数が予め定められた数よりも少ない場合、通信端末の加入者情報に応じて決定される情報を、ユニキャスト通信を用いてそれぞれのユーザへ配信するものである。【０００９】
本発明の第３の態様にかかるプログラムは、情報を配信する配信エリアに在圏する通信端末の数を検出するステップと、前記通信端末の数が予め定められた数よりも多い場合、同報配信を用いて複数のユーザへ同一の情報を配信し、前記通信端末の数が予め定められた数よりも少ない場合、通信端末の加入者情報に応じて決定される情報を、ユニキャスト通信を用いてそれぞれのユーザへ配信するステップと、をコンピュータに実行させるものである。
【発明の効果】
【００１０】
本発明によって、情報を配信する際に、効率的な通信を実現するとともにそれぞれのユーザに対して有益な情報を配信することが出来る配信装置、配信方法及びプログラムを提供することができる。
【図面の簡単な説明】
【００１１】
【図１】実施の形態１にかかる情報配信システムの構成図である。
【図２】実施の形態２にかかる情報配信システムの構成図である。
【図３】実施の形態２にかかる通信方法選択処理の流れを示す図である。
【図４】実施の形態２にかかるセルブロードキャスト通信選択時の流れを示す図である。
【図５】実施の形態３にかかる通信方法選択処理の流れを示す図である。
【図６】実施の形態４にかかる情報配信システムの構成図である。
【図７】実施の形態５にかかる情報配信システムの構成図である。
【図８】実施の形態５にかかるＣＢＳが用いられる場合のネットワークを示す図である。
【図９】実施の形態５にかかるＭＢＭＳが用いられる場合のネットワークを示す図である。
【発明を実施するための形態】
【００１２】
（実施の形態１）
以下、図面を参照して本発明の実施の形態について説明する。はじめに、図１を用いて本発明の実施の形態１にかかる情報配信システムの構成例について説明する。図１の情報配信システムは、配信装置１０、同報配信システム３０、ユニキャスト通信システム４０及び通信端末２５を有している。また、配信装置１０が情報を配信するエリアとして、配信エリア２０が存在する。配信エリア２０内には、複数の通信端末２５が在圏している。
【００１３】
同報配信システム３０及びユニキャスト通信システム４０は、例えば３ＧＰＰにおいて規定されたネットワークを有している。もしくは、同報配信システム３０及びユニキャスト通信システム４０は、３ＧＰＰにおいて規定されたネットワークに制限されず、ＰＨＳ通信ネットワーク等の他の移動通信ネットワークを有してもよい。もしくは、同報配信システム３０及びユニキャスト通信システム４０は、移動通信ネットワークに制限されず、固定電話の通信に用いられる固定通信ネットワークであってもよく、さらに、Ｗ−ＬＡＮ通信に用いられるネットワーク等であってもよい。
【００１４】
以下に、配信装置１０の構成例について説明する。配信装置１０は、検出部１１及び配信部１２を有している。検出部１１は、情報を配信する配信エリア２０に在圏する通信端末２５の数を検出する。配信エリア２０は、例えば、複数の基地局が形成する複数のセルを含むエリアであってもよい。もしくは、配信エリア２０は、通信端末２５が位置登録を行うエリアを規定した位置登録エリアであってもよい。もしくは、配信エリア２０は、住所情報等を用いて、例えばＡ市及びＢ市等として規定されてもよい。
【００１５】
検出部１１は、移動通信システム内の通信端末の位置登録エリアもしくは在圏エリア等を管理するサーバ装置等から配信エリア２０内に在圏する通信端末の数に関する情報を取得してもよい。もしくは、検出部１１は、通信端末の位置をGlobal Positioning System（ＧＰＳ）情報等を用いて管理するサーバ装置から、配信エリア２０内に在圏する通信端末の数に関する情報を取得してもよい。
【００１６】
配信部１２は、配信エリア２０に在圏する通信端末の数が予め定められた数よりも多い場合、同報配信を用いて複数の通信端末へ同一の情報を配信する。さらに、配信部１２は、配信エリア２０に在圏する通信端末の数が予め定められた数よりも少ない場合、通信端末の加入者情報に応じて決定される情報を、ユニキャスト通信を用いてそれぞれの通信端末へ配信する。
【００１７】
同報配信は、例えば、ブロードキャスト通信、マルチキャスト通信もしくはセルブロードキャスト通信等であってもよい。もしくは、同報配信は、3rd Generation Partnership Project（３ＧＰＰ）において規定されたMultimedia Broadcast Multicast Service（ＭＢＭＳ）通信であってもよい。
【００１８】
通信端末の加入者情報は、例えば、通信端末が契約しているサービス情報、通信端末の位置情報もしくは通信端末の契約情報等であってもよい。通信端末の契約情報は、例えば、通信端末を保持するユーザの年齢、住所もしくは料金の請求先等に関する情報であってもよい。通信端末の加入者情報は、例えば、移動通信ネットワーク内に配置された加入者情報管理サーバ等において管理されている。
【００１９】
加入者情報に応じて決定される情報は、例えば、通信端末を保持するユーザの年齢毎に異なる情報、通信端末の位置に応じて異なる情報等であってもよい。
【００２０】
ユニキャスト通信は、通信先の通信端末を宛先として指定する通信である。これに対して、同報配信は、例えば、配信エリア内に存在する通信端末すべてに情報配信を行う、もしくは、配信エリア内に存在する通信端末すべてに情報配信を行い配信された情報を受信した通信端末において情報の取捨選択を行わせる通信である。つまり、同報配信は、宛先として個別の通信端末を指定しない通信である。
【００２１】
以上説明したように、図１の情報配信システムを用いることによって、配信装置１０は、配信エリアに在圏する通信端末の数に応じて、同報配信を用いるかもしくはユニキャスト通信を用いるかを選択することが出来る。これによって、例えば、配信エリアに在圏する通信端末の数が、予め定められた数よりも多い場合、配信装置１０は、同報配信を用いて多くの通信端末に対して効率的に情報を配信することが出来る。一方、配信エリアに在圏する通信端末の数が、予め定められた数よりも少ない場合、配信装置１０は、ユニキャスト通信を用いてそれぞれの通信端末の加入者情報に応じた情報を配信することが出来る。そのため、配信装置１０は、それぞれの通信端末が必要とする情報を、それぞれの通信端末へ配信することが出来る。
【００２２】
（実施の形態２）
続いて、図２を用いて本発明の実施の形態２にかかる情報配信システムの構成例について説明する。図２の情報配信システムは、３ＧＰＰにおいて規定されたネットワークであって、ＣＢＳを提供するネットワークと、ユニキャスト通信を行うネットワークとを有している。図２の情報配信システムは、配信装置１０、Cell Broadcast Center（ＣＢＣ）３１、Mobile Management Element（ＭＭＥ）３２、Packet Data Network Gateway（ＰＧＷ）４１、Serving Gateway（ＳＧＷ）４２、evolved Node B（ｅＮＢ）６１〜６４、User Equipment（ＵＥ）６５〜６８及びHome Subscriber Server（ＨＳＳ）５１を有している。ＵＥ６５〜６８は、図１における通信端末４０に相当する。また、図２の情報配信システムは、外部サーバ５２を有し、配信装置１０は、外部サーバ５２と接続されてもよい。
【００２３】
ＣＢＳを提供するネットワークは、図１における同報配信システム３０に相当し、ＣＢＣ３１、ＭＭＥ３２、ｅＮＢ６３〜６４及びＵＥ６７〜６８を有している。また、ユニキャスト通信を行うネットワークは、図１におけるユニキャスト通信システム４０に相当し、ＰＧＷ４１、ＳＧＷ４２、ｅＮＢ６１〜６２及びＵＥ６５〜６６を有している。
【００２４】
配信装置１０は、例えば移動通信ネットワークとは異なるネットワークに配置される装置であってもよい。例えば、配信装置１０は、移動通信ネットワークを介して通信を行うＵＥ等へアプリケーションサービスを提供するアプリケーションサーバであってもよく、アプリケーションサービスを提供するサービスプラットフォームを構成する装置であってもよい。配信装置１０は、例えば、移動通信ネットワークを管理する事業者とは異なる事業者が管理する装置であってもよい。もしくは、配信装置１０は、移動通信ネットワーク内に配置されてもよい。
【００２５】
ｅＮＢ６１〜６４は、無線システムとしてLong Term Evolution（ＬＴＥ）に対応した基地局である。図２においては、基地局としてｅＮＢ６１〜６４を用いる構成例について説明しているが、２Ｇもしくは３Ｇシステムに対応したNode B（ＮＢ）等が用いられてもよい。ｅＮＢ６１〜６４は、移動通信ネットワークの上位装置から送信されたデータをＵＥ６５〜６８へ送信し、さらに、ＵＥ６５〜６８から送信されたデータを上位装置へ送信する。上位装置は、例えば、ＭＭＥ３２、ＳＧＷ４２、ＰＧＷ４１もしくはＣＢＣ３１等である。上位装置は、中継装置と称されてもよい。
【００２６】
ｅＮＢ６３〜６４は、ＵＥ６７〜６８へデータを送信する際に、ｅＮＢ６３〜６４が形成するセル内に在圏する全てのＵＥに対してデータを送信するセルブロードキャスト通信を行う。セルブロードキャスト通信は、ＭＭＥ３２が、セル単位にデータの配信を行うことをｅＮＢへ指示し、ｅＮＢが、セル内に在圏する全てのＵＥに対してデータを配信する通信である。データの配信対象となるセルは、ＣＢＣ３１において決定される。
【００２７】
ｅＮＢ６１〜６２は、ｅＮＢ６１〜６２が形成するセル内に在圏するそれぞれのＵＥとユニキャスト通信を行い、ＵＥ６５〜６６へデータを送信する。
【００２８】
本図においては、ｅＮＢ６１〜６２をユニキャスト通信を行うｅＮＢとし、ｅＮＢ６３〜６４をセルブロードキャスト通信を行うｅＮＢとして区別して説明したが、ｅＮＢ６１〜６４は、ユニキャスト通信及びセルブロードキャスト通信に対応したｅＮＢであってもよい。
【００２９】
ＭＭＥ３２は、ｅＮＢ６３〜６４と接続している。ＭＭＥ３２は、ＵＥ６７〜６８の移動管理を行う。例えば、ＭＭＥ３２は、ＵＥ６７〜６８のいずれかのＵＥに対する着信メッセージが送信されてきた場合に、ＵＥが在圏する位置登録エリアを指定し、ＵＥに対する呼び出し処理を実行する。また、ＭＭＥ３２は、ＵＥ６７〜６８に関する制御メッセージを送受信する。
【００３０】
ＣＢＣ３１は、ＭＭＥ３２及び配信装置１０と接続している。ＣＢＣ３１は、配信エリアに含まれるセルを特定し、セルブロードキャスト通信の対象となるセルに関する情報及び配信情報をＭＭＥ３２へ通知する。
【００３１】
ＰＧＷ４１は、ＰＧＷ４１、ＳＧＷ４２及びｅＮＢ６１〜６２等によって構成される移動通信ネットワークとは異なる外部ネットワークに配置された装置と通信を行うゲートウェイ装置である。ＰＧＷ４１は、外部ネットワークに配置された装置から送信されたデータをＳＧＷ４２及びｅＮＢ６１〜６２を介してＵＥ６５〜６６へ送信する。ＳＧＷ４２は、ＰＧＷ４１とｅＮＢ６１〜６２との間において送受信されるデータを中継する。
【００３２】
ＨＳＳ５１は、ＵＥ６５〜６８に関する加入者情報を管理している。さらに、ＨＳＳ５１は、ＵＥ６５〜６８に関する位置情報も管理している。
【００３３】
配信装置１０は、ＣＢＣ３１、ＰＧＷ４１及びＨＳＳ５１と接続している。配信装置１０は、配信エリアを決定し、配信エリア内に在圏するＵＥの数を検出する。その際に、配信装置１０は、ＨＳＳ５１において管理されているＵＥの位置情報を用いて、配信エリア内に在圏するＵＥの数を検出してもよい。もしくは、外部サーバ５２が、ＵＥ６５〜６８におけるＧＰＳ測位情報を収集してＵＥ６５〜６８の位置を管理している場合には、配信装置１０は、外部サーバ５２から配信エリア内に在圏するＵＥの数を検出してもよい。もしくは、配信装置１０が、ＵＥのＧＰＳ測位情報を収集してＵＥの位置を管理する外部サーバ５２の機能を有してもよい。外部サーバ５２は、ＧＰＳ測位情報を用いてＵＥの位置情報を管理してもよく、その他の情報を用いてＵＥの位置情報を管理してもよい。例えば、外部サーバ５２が、路上に複数のセンサ装置を有する交通管制システムを構成するサーバである場合、外部サーバ５２は、複数のセンサ装置からセンサ装置の近傍に位置するＵＥの情報を収集することによってＵＥの位置情報を管理してもよい。
【００３４】
配信装置１０は、配信エリア内に在圏するＵＥの数に応じて、同報配信を行うかユニキャスト通信を行うかを判定する。配信装置１０は、同報配信を行うと判定した場合、配信エリアに関する情報及び配信情報を含む配信通知メッセージをＣＢＣ３１へ送信する。また、配信装置１０は、ユニキャスト通信を行うと判定した場合、配信通知メッセージをＰＧＷ４１へ送信する。
【００３５】
ＣＢＣ３１は、配信装置１０から、配信するエリア及び配信情報を含む配信通知メッセージを受信した場合に、配信エリアに含まれるセルを特定し、さらに、セル単位の配信エリア及び配信情報を含むメッセージ（ＣＢＳメッセージ）を作成する。ＣＢＣ３１は、作成したＣＢＳメッセージをＭＭＥ３２を介してｅＮＢへ送信する。ＣＢＣ３１が決定する配信エリアは、例えば、配信情報を配信するセルを示す情報である。ＣＢＣ３１は、配信装置１０において指定された配信情報を配信するエリアを、配信情報を配信する対象であるセルを特定する情報に変換する。
【００３６】
ＰＧＷ４１は、配信装置１０から通知された配信エリア内に位置するＵＥに対して、ユニキャスト通信を用いて配信情報を送信する。つまり、ＰＧＷ４１は、配信情報の宛先をＵＥに設定して、配信情報をＵＥへ送信する。ＰＧＷ４１は、例えば、ＨＳＳを用いて配信先エリアに位置するＵＥを特定してもよい。また、ＨＳＳは、配信装置１０から通知される配信先エリアと、移動通信ネットワーク内においてＵＥの位置を管理するために用いるエリアとを対応付けて管理してもよい。このようにすることによって、ＨＳＳは、配信装置１０から通知された配信先エリアに位置するＵＥを特定することが出来る。
【００３７】
ここで、ユニキャスト通信を用いる場合、さらにＵＥ毎に配信情報を変更してもよい。例えば、ＵＥの端末種別等に応じて配信情報が変更されてもよい。例えば、配信先のＵＥがスマートフォンである場合は、配信先のＵＥがスマートフォンよりも表示部が小さい携帯電話である場合よりも、配信情報の文字数を増加させるようにしてもよい。
【００３８】
もしくは、ＵＥを保持するユーザの年齢に応じて配信情報が変更されてもよい。例えば、配信先のＵＥを保持するユーザが小学生である場合、ＵＥを保持するユーザが成人した大人である場合よりも、配信情報の内容を簡潔に短くするようにしてもよい。
【００３９】
ＵＥの端末種別もしくは年齢情報等は、ＨＳＳにおいて保持されている加入者情報に定められていてもよい。また、配信装置１０が、ＵＥの端末種別もしくは年齢情報等に応じて配信情報を変更することをＰＧＷ４１に対して指示してもよい。
【００４０】
また、上記の説明においては、配信装置１０が、配信エリア内に在圏するＵＥの数に応じて、同報配信を行うかユニキャスト通信を行うかを判定することについて説明したが、配信装置１０は、配信エリア内に在圏するＵＥのうち、サービス受理対象の端末数に応じて同報配信を行うかユニキャスト通信を行うかについて判定してもよい。例えば、サービス受理対象の端末とは、配信装置１０から配信される配信情報の受理を要望する、もしくは、配信装置１０から配信される配信情報を受理することができる端末である。例えば、サービス受理対象の端末は、加入者情報に定められていてもよい。
【００４１】
例えば、サービス受理対象の端末数が予め定められた値よりも大きい場合、同報配信を行い、予め定められた値よりも小さい場合、ユニキャスト通信を行ってもよい。このようにすることにより、シグナリング負荷が許容できる一定数以下のサービス受理端末数であれば、サービス受理端末ではない端末へ情報が配信されてしまうリスクがある同報配信を避けることができる。また、サービス受理対象の端末数が予め定められた値よりも大きい場合、負荷軽減を優先して同報配信を行うことができる。
【００４２】
続いて、図３を用いて本発明の実施の形態２にかかる配信装置１０における通信方法選択処理の流れについて説明する。はじめに、配信装置１０は、配信情報を配信する配信エリアを決定する（Ｓ１１）。配信エリアの決定は、配信装置１０における制御部（図示せず）等において実行されてもよい。次に、検出部１１は、決定された配信エリア内に在圏する通信端末の数を検出する（Ｓ１２）。配信部１２は、検出部１１において検出された通信端末の数が、予め定められた値（閾値）よりも大きいか否かを判定する（Ｓ１３）。
【００４３】
配信部１２は、検出部１１において検出された通信端末の数が、予め定められた値よりも大きいと判定した場合、セルブロードキャスト通信を行うことを選択する（Ｓ１４）。また、配信部１２は、検出部１１において検出された通信端末の数が、予め定められた値よりも小さいと判定した場合、ユニキャスト通信を行うことを選択する（Ｓ１５）。
【００４４】
続いて、図４を用いて、図３においてセルブロードキャスト通信が選択された場合の処理の流れについて説明する。配信部１２は、セルブロードキャスト通信を行うことを選択すると、同報配信情報を生成する（Ｓ２１）。同報配信情報には、例えば、同報配信する配信メッセージ及びセルによって示される配信エリアに関する情報が含まれている。
【００４５】
次に、配信部１２は、生成した同報配信情報をＣＢＣ３１へ送信する（Ｓ２２）。以降、配信メッセージは、同報配信システムを介して、配信エリアに在圏する通信端末に配信される。
【００４６】
次に、検出部１１は、配信エリアに在圏するそれぞれの通信端末に関する加入者情報を収集する（Ｓ２３）。検出部１１は、例えば、加入者情報をＨＳＳ５１から収集する。ここでは、検出部１１は、加入者情報として例えば通信端末を保持するユーザの年齢情報を収集した場合について説明する。
【００４７】
次に、配信部１２は、収集したユーザの年齢情報に応じて個別配信情報を生成する（Ｓ２４）。例えば、配信部１２は、１０代のユーザ、２０代のユーザ、３０代のユーザといったようにユーザの年代ごとにグループ分けを行い、グループごとに異なる個別配信情報を生成してもよい。
【００４８】
次に、配信部１２は、個別配信情報の配信先のユーザを宛先に指定して、ユーザごとに生成された個別配信情報をＰＧＷ４１へ送信する（Ｓ２５）。ここで、本図においては、同報配信情報を送信した後に、加入者情報を収集する処理を行うことを説明しているが、加入者情報の収集処理は、同報配信情報の送信前に行われてもよい。
【００４９】
また、同報配信情報は、複数の通信端末に対して一斉に送信されるため、短いテキスト文章等、情報量は少ない。個別配信情報は、ユーザ毎に異なる情報であり、画像データ等が含まれてもよい。そのため、個別配信情報は、同報配信情報よりも情報量が多くてもよい。例えば、広告情報が配信される場合に、店舗の案内情報を示すテキスト情報を配信エリアに在圏する全ての通信端末へ一斉に配信し、店舗の地図情報を画像データとしてそれぞれの通信端末に対して個別に送信してもよい。
【００５０】
また、図３においてユニキャスト通信が選択された場合、ステップＳ２３〜Ｓ２５の処理が実行される。
【００５１】
以上説明したように、配信装置１０が図４の処理を実行することにより、配信装置１０は、ＣＢＳを用いて、配信エリア内の全てのユーザに対して共通の配信メッセージを送信することが出来る。さらに、その後、配信装置１０は、共通の配信メッセージを受信した複数の通信端末に対して、ユニキャスト通信を用いて通信端末毎に異なるメッセージを送信することが出来る。これによって、配信エリア内のユーザは、最小限の共通のメッセージを受信するとともに、自分の年齢情報に応じた適切なメッセージを受信することが出来る。図４においては、加入者情報として年齢情報を用いる場合について説明したが、その他の加入者情報に応じて、個別配信情報が生成されてもよい。
【００５２】
また、上記の説明においては、共通の配信メッセージを受信した全てのユーザに対して個別配信情報をユニキャスト通信を用いて送信することとしているが、共通の配信メッセージを受信したユーザの一部のユーザに対して、個別配信情報を送信してもよい。例えば、共通の配信メッセージを受信したユーザのうち、一部の年代のユーザに対してのみ個別配信情報をユニキャスト通信を用いて送信してもよい。
【００５３】
例えば、広告情報が配信される場合に、店舗の案内情報を配信エリアに在圏する全ての通信端末へ一斉に配信し、加入者情報が特定の条件を満たす一部の通信端末へ、クーポン情報等を個別に送信してもよい。
【００５４】
（実施の形態３）
続いて、図５を用いて本発明の実施の形態３にかかる配信装置１０における通信方法選択処理の流れについて説明する。図５における通信方法選択処理は、配信エリア内に含まれるセル毎にセルブロードキャスト通信を行うかユニキャスト通信を行うかを決定する。
【００５５】
はじめに、配信装置１０は、配信情報を配信する配信エリアを決定する（Ｓ３１）。次に、検出部１１は、決定された配信エリア内に含まれる複数のセルについて、セル毎に在圏する通信端末の数を検出する（Ｓ３２）。
【００５６】
配信部１２は、セル内の通信端末の数が予め定められた値（閾値）よりも大きいか否かを判定する（Ｓ３３）。配信部１２は、検出部１１において検出されたセル内の通信端末の数が、予め定められた値よりも大きいと判定した場合、当該セルに在圏する通信端末に対してセルブロードキャスト通信を行うことを選択する（Ｓ３４）。また、配信部１２は、検出部１１において検出されたセル内の通信端末の数が、予め定められた値よりも小さいと判定した場合、当該セルに在圏する通信端末に対してユニキャスト通信を行うことを選択する（Ｓ１５）。
【００５７】
次に、検出部１１は、通信端末の数を検出していないセルが存在するか否かを判定する（Ｓ３６）。ここで、検出部１１は、ステップＳ１１において決定された配信エリア内に含まれるセルの一覧を管理し、さらに、通信端末の数を検出済みのセルに関しては検出済みであることを示すフラグを設定する等して検出済みのセルを管理してもよい。
【００５８】
検出部１１は、通信端末の数を検出していないセルが存在すると判定した場合、ステップＳ３２以降の処理を繰り返す。検出部１１は、通信端末の数を検出していないセルが存在しないと判定した場合、処理を終了する。
【００５９】
以上説明したように、本発明の実施の形態３にかかる通信方法選択処理を用いることによって、セル毎にセルブロードキャスト通信を行うか、ユニキャスト通信を行うかを決定することが出来る。これによって、より多くの通信端末に対して、加入者情報に応じて通信端末を有するユーザの嗜好に沿った情報を配信することが出来る。
【００６０】
（実施の形態４）
続いて、図６を用いて本発明の実施の形態４にかかる情報配信システムの構成例について説明する。図２においては、配信装置１０に、一つの通信事業者が管理する同報配信システム及びユニキャスト通信システムが接続されている構成例について説明を行った。本図においては、配信装置１０に、異なる通信事業者が管理する複数の同報配信システム及びユニキャスト通信システムが接続されている構成例について説明する。
【００６１】
本図においては、ＰＧＷ８１及びＣＢＣ８２は、同一の通信事業者によって管理されているとする。さらに、ＰＧＷ９１及びＣＢＣ９２は、ＰＧＷ８１及びＣＢＣ８２を管理する通信事業者とは異なる通信事業者によって管理されているとする。さらに、ＰＧＷ１０１及びＣＢＣ１０２は、ＰＧＷ８１及びＣＢＣ８２並びにＰＧＷ９１及びＣＢＣ９２とは異なる通信事業者によって管理されているとする。また、ＰＧＷ８１、９１及び１０１は、図示することを省略しているが、図２と同様に、ＳＧＷと接続し、ＳＧＷは、ｅＮＢと接続している。ＣＢＣ８２、９２及び１０２は、図示することを省略しているが、図２と同様に、ＭＭＥと接続し、ＭＭＥは、ｅＮＢと接続している。
【００６２】
配信装置１０は、それぞれの通信事業者が管理するネットワーク毎に、配信エリアに在圏するＵＥの数を検出してもよい。さらに、配信装置１０は、それぞれの通信事業者毎に、同報配信を用いるかユニキャスト通信を用いるかを決定してもよい。
【００６３】
以上説明したように、図６の情報配信システムを用いることによって、マルチキャリア構成の情報配信システムにおいても、配信エリアに在圏するＵＥの数に応じて配信方法を選択することができる。そのため、それぞれの通信事業者毎に、効率的な通信を実現するとともにそれぞれのユーザに対して有益な情報を配信することが出来る。
【００６４】
（実施の形態５）
続いて、本発明の実施の形態５にかかる配信装置の構成例について説明する。図１においては、配信装置１０が、検出部１１において配信エリア内に在圏する通信端末の数を検出し、配信部１２が通信端末の数に応じて同報配信を行うか、ユニキャスト通信を行うかを決定する構成について説明した。本発明の実施の形態５においては、配信エリア内に在圏する通信端末の数に関する情報を用いずに、同報配信及びユニキャスト通信を使い分ける動作について説明する。このような動作を行うために、本発明の実施の形態５にかかる配信装置は、検出部１１を有さずに、配信部１２を有するようにしてもよい。
【００６５】
はじめに、配信部１２は、配信エリア内に在圏する全ての通信端末へ同報配信を用いて全ての通信端末に共通の情報を配信する。次に、配信部１２は、通信端末の加入者情報に応じて決定される情報を、ユニキャスト通信を用いてそれぞれの通信端末へ配信する。
【００６６】
このように同報配信及びユニキャスト通信を使い分けることによって、次のような効果を得ることができる。
【００６７】
例えば、全ての配信情報をユニキャスト通信を用いてそれぞれの通信端末へ配信する場合と比較して、配信情報の一部の情報を同報配信を用いて全ての通信端末に配信することは、ユニキャスト通信において配信する情報量を削減することができる。そのため、配信装置１０が、ユニキャスト通信を行う際に必要となる通信リソースの確保等の負担が軽減される。さらに、同報配信を用いて配信する情報を、全ての通信端末において必要となる共通の情報とすることによって、同報配信の利点でもある効率的な通信を実現することができる。効率的な通信とは、例えば、個別の通信端末毎に通信リソースを確保する必要がないことがあげられる。
【００６８】
このようにして、配信エリア内に在圏する通信端末に対して情報を配信する際に、全ての通信端末に対して必要となる情報を共通の情報として同報配信を用いて配信し、それぞれの通信端末の加入者情報等に応じて必要となる情報が異なる場合、その異なる情報をユニキャスト通信を用いて送信する。これによって、ユニキャスト通信を行う際の情報量の削減等により負荷を軽減させるとともに、それぞれの通信端末に対して必要となる情報を配信することができる。
【００６９】
（実施の形態６）
続いて、図７を用いて本発明の実施の形態６にかかる情報配信システムの構成例について説明する。図１においては、配信装置１０が、ユニキャスト通信システム４０及び同報配信システム３０に接続している構成について説明したが、本図においては、同報配信システム３０として具体的にマルチキャストシステム３５及びブロードキャストシステム３６に接続している構成を示している。
【００７０】
ユニキャスト通信システム４０は、例えば、ＳＭＳが用いられてもよい。さらに、マルチキャストシステム３５は、例えば、ＩＰマルチキャストもしくはＭＢＭＳ等が用いられてもよい。さらに、ブロードキャストシステム３６は、ＥＴＷＳもしくはＣＢＳ等が用いられてもよい。また、配信装置１０の接続先は、ユニキャスト通信システム４０、マルチキャストシステム３５及びブロードキャストシステム３６に限定されず、その他に、ワンセグ放送等を含むデジタル放送システム、ラジオ放送システムもしくはＶＩＣＳ（登録商標）（Vehicle Information and Communication System）等が用いられてもよい。
【００７１】
続いて、図８を用いてブロードキャストシステム３６として、ＣＢＳが用いられる場合の具体的なネットワーク構成について説明する。
【００７２】
本図のネットワークは、ＵＥ（User Equipment）１１１、ＮｏｄｅＢ１１２、ｅＮｏｄｅＢ１１３、ＢＳＣ（Base Station Controller）１１４、ＲＮＣ（Radio Network Controller）１１５、ＭＭＥ（Mobility Management Entity）１１６、ＣＢＣ（Cell Broadcast Center）１１７及び配信装置１１８を有している。
【００７３】
ＵＥ１１１は、移動通信装置である。ＮｏｄｅＢ１１２及びｅＮｏｄｅＢ１１３は、基地局装置であり、特にｅＮｏｄｅＢ１１３は、ＬＴＥにおいて用いられる基地局装置である。ＭＭＥ１１６は、主にＵＥ１１１の移動管理を行う。ＢＳＣ１１４及びＲＮＣ１１５は、ＮｏｄｅＢ１１２を制御する装置である。ＣＢＣ１１７は、セルブロードキャストを実行する際に用いられる装置である。配信装置１１８は、ＣＢＣ１１７へ配信情報を送信する。
【００７４】
また、本図に示しているＵｍ、Ｕｕ、ＬＴＥ−Ｕｕ、Ｇｂ、Ｉｕｂ、ＣＢＣ−ＢＳＣ、Ｉｕ−ＢＣ、Ｓ１−ＭＭＥ、ＳＢｃ、Ｔｃｂは、それぞれ装置間のインタフェース名称を示している。
【００７５】
続いて、図９を用いてマルチキャストシステム３５としてＭＢＭＳが用いられる場合の具体的なネットワーク構成について説明する。本図のネットワークは、ＵＥ１２１、ＭＭＥ１２２、ＳＧＳＮ１２３、ＭＢＭＳ−ＧＷ１２４、ＰＤＮ−ＧＷ１２５、Ｖ−ＢＭＳＣ（Broadcast Multicast Service Center）１２６、Ｈ−ＢＭＳＣ１２７及び配信装置１２８を有している。ＭＢＭＳ−ＧＷ１２４は、Ｅ−ＵＴＲＡＮ及びＵＴＲＡＮを介してＵＥへデータを送信する。また、ＵＥ１２１、ＭＭＥ１２２、ＳＧＳＮ１２３、ＭＢＭＳ−ＧＷ１２４、ＰＤＮ−ＧＷ１２５、Ｖ−ＢＭＳＣ１２６及びＨ−ＢＭＳＣ１２７を有するネットワークは、３ＧＰＰにおいて規定されているネットワークとして既に知られていることから、詳細な説明を省略する。
【００７６】
配信装置１２８は、Ｈ−ＢＭＳＣ１２７へ配信情報を送信する。ＢＭＳＣは、ＭＢＭＳにて伝送するコンテンツを格納する装置である。また、ＭＢＭＳ−ＧＷ１２４は、Ｈ−ＢＭＳＣ１２７及びＶ−ＢＭＳＣ１２６を介して送信された配信情報をＩＰマルチキャストを用いて送信する。
【００７７】
また、本図に示しているＥ−ＵＴＲＡＮ  Ｕｕ、Ｕｕ、Ｍ３、Ｍ１、Ｉｕ、Ｓｍ、Ｓｎ、ＳＧｍｂ、ＳＧｉ−ｍｂ、ＳＧｉ、ＳＧｉ−ｍｂ、Ｍｚ及びＴｍｂは、それぞれ装置間のインタフェース名称を示している。
【００７８】
以上説明したように、本発明の実施の形態５に示す情報配信システムを用いることにより、配信装置は、異なる配信手段を用いるシステムと接続することができる。
【００７９】
上述の実施の形態では、本発明をハードウェアの構成として説明したが、本発明は、これに限定されるものではない。本発明は、配信装置における処理を、ＣＰＵ（Central Processing Unit）にコンピュータプログラムを実行させることにより実現することも可能である。）
【００８０】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８１】
なお、本発明は上記実施の形態に限られたものではなく、趣旨を逸脱しない範囲で適宜変更することが可能である。例えば、配信装置１０、１１８及び１２８において実現される機能は、ＣＢＣ３１に実装されてもよい。もしくは、配信装置１０、１１８及び１２８において実現される機能は、３ＧＰＰにおいて規定されているＭＴＣ−ＩＷＦ又はＳＣＳ等において実装されてもよい。もしくは、配信装置１０、１１８及び１２８において実現される機能は、サービス事業者が管理するサービスプラットフォームもしくはサービス事業者が管理するサーバ装置において実装されてもよい。もしくは、配信装置１０、１１８及び１２８において実現される機能は、通信事業者が管理するノード装置において実装されてもよい。
【００８２】
以上、実施の形態を参照して本願発明を説明したが、本願発明は上記によって限定されるものではない。本願発明の構成や詳細には、発明のスコープ内で当業者が理解し得る様々な変更をすることができる。
【００８３】
この出願は、２０１３年７月３日に出願された日本出願特願２０１３−１４０１５６を基礎とする優先権を主張し、その開示の全てをここに取り込む。
【符号の説明】
【００８４】
１０  配信装置
１１  検出部
１２  配信部
２０  配信エリア
２５  通信端末
３０  同報配信システム
３１  ＣＢＣ
３２  ＭＭＥ
３５  マルチキャストシステム
３６  ブロードキャストシステム
４０  ユニキャスト通信システム
４１  ＰＧＷ
４２  ＳＧＷ
５１  ＨＳＳ
６１  ｅＮＢ
６２  ｅＮＢ
６３  ｅＮＢ
６４  ｅＮＢ
６５  ＵＥ
６６  ＵＥ
６７  ＵＥ
６８  ＵＥ
８１  ＰＧＷ
８２  ＣＢＣ
９１  ＰＧＷ
９２  ＣＢＣ
１０１  ＰＧＷ
１０２  ＣＢＣ
１１１  ＵＥ
１１２  ＮｏｄｅＢ
１１３  ｅＮｏｄｅＢ
１１４  ＢＳＣ
１１５  ＲＮＣ
１１６  ＭＭＥ
１１７  ＣＢＣ
１１８  配信装置
１２１  ＵＥ
１２２  ＭＭＥ
１２３  ＳＧＳＮ
１２４  ＭＢＭＳ−ＧＷ
１２５  ＰＤＮ−ＧＷ
１２６  Ｖ−ＢＭＳＣ
１２７  Ｈ−ＢＭＳＣ
１２８  配信装置
【図１】
2015001746.tif 000003
【図２】
2015001746.tif 000004
【図３】
2015001746.tif 000005
【図４】
2015001746.tif 000006
【図５】
2015001746.tif 000007
【図６】
2015001746.tif 000008
【図７】
2015001746.tif 000009
【図８】
2015001746.tif 000010
【図９】
2015001746.tif 000011
【手続補正書】
【提出日】平成27年11月9日(2015.11.9)
【手続補正１】
【補正対象書類名】特許請求の範囲
【補正対象項目名】請求項１６
【補正方法】変更
【補正の内容】
【請求項１６】
情報を配信する配信エリアに在圏する通信端末の数を検出するステップと、
前記通信端末の数が予め定められた数よりも多い場合、同報配信を用いて複数のユーザへ同一の情報を配信し、前記通信端末の数が予め定められた数よりも少ない場合、通信端末の加入者情報に応じて決定される情報を、ユニキャスト通信を用いてそれぞれのユーザへ配信するステップと、をコンピュータに実行させるプログラム。
【国際調査報告】
2015001746.tif 000012
2015001746.tif 000013